(57)【要約】【課題】  携帯電話機の機能の使用が規制された場所で携帯電話機の機能を確実に使用できないようにし、機能の使用が規制されない場所で携帯電話機の機能を確実に使用できる携帯電話機を提供することを目的とする。【解決手段】  携帯電話機の各機能の使用が規制された場所において携帯電話機１０１は、ＣＰＵ５により非接触ＩＣカード６を介して、非接触ＩＣカードシステム装置２０１から取得される機能動作禁止/許可の制御信号を取得し、動作禁止であるとされた機能に対応した操作部５０のキー操作を制限する。また、ＬＣＤ表示部１に動作禁止状態にあることを表示する。【選択図】        図２
2008199272.tif 000002
【特許請求の範囲】
【請求項１】
操作キーと、
制限信号を受信する非接触ＩＣカードと、
前記制限信号に基づいて前記操作キーの使用を制限する制限手段と、
この制限手段により制限される動作の制限状態を表示する表示部とを備える携帯電話機。
【請求項２】
カメラ部とカメラカバーをさらに備え、制限手段が、前記カメラ部の動作に対応する操作キーの使用を制限するとともに前記カメラカバーを閉じた状態でロックすることを特徴とする請求項１に記載の携帯電話機。
【請求項３】
制限信号を記憶する制限情報記憶手段をさらに備え、制限手段が、前記制限情報記憶手段に記憶された制限信号に含まれる制限管理情報に基づいて許可信号を取得し、この許可信号に応じて制限を解除することを特徴とする請求項１又は請求項２に記載の携帯電話機。
【請求項４】
制限管理情報は、電話番号情報、メールアドレス情報、又はインターネットのＵＲＬを含み、この電話番号情報、メールアドレス情報、又はインターネットのＵＲＬに基づいて無線通信により許可信号を取得し、この許可信号に応じて制限を解除することを特徴とする請求項３に記載の携帯電話機。
【発明の詳細な説明】
【技術分野】
【０００１】
本発明は、音声通話等の使用が規制される場所で、制限情報に基づいて音声通話等の各種機能を制限する携帯電話機に関するものである。
【背景技術】
【０００２】
携帯電話機の普及に伴い、いつでもどこでも誰とでも通話やメール通信等をすることが可能となっている。また、さまざまな機能が携帯電話機に搭載され、たとえばカメラ機能等、誰でも気軽で自由にカメラ撮影等を行うことができるようになった。その一方で、電車内や映画館などの公共の場で、携帯電話機による通話やカメラ撮影などの使用が規制される場面が増えてきている。
【０００３】
また、近年においては企業機密管理という観点から、カメラ撮影を規制する場所も増えてきているのが現状である。現在のところの対策としては各ユーザーのモラルに委ねられているが、携帯電話機の使用が制限された場所で、全てのユーザーが携帯電話機の使用を自粛しているとは言い難い。この防止策として携帯電話機の使用が制限された場所で通話やカメラを使用できないように携帯電話機を制御する方法がある。
【０００４】
具体的な方法としては、非接触ＩＣカードシステムを利用して撮影機能を制限するシステムが知られている。非接触ＩＣカードシステムを利用することにより、携帯電話機が、電源のオン／オフ状態に関わらず、非接触ＩＣカードシステムから電力の供給を受けると共に撮影禁止信号を受信するので、携帯電話機の撮影機能の禁止設定が、ユーザーではなく、撮影禁止区域の管理者により行われる。このため、秘密事項に相当するものの画像の漏洩防止が確実に行われると共に管理者側の安心度が向上する。また、携帯電話機のユーザーも、管理者側から疑われることなく、携帯電話機を撮影禁止区域内で通話機能等を使用することができる（特許文献１参照）。
【０００５】
【特許文献１】特開２００６−１９１２７４号公報（００２１〜００２８段、図１）
【発明の開示】
【発明が解決しようとする課題】
【０００６】
しかしながら、上記従来の携帯電話機では、カメラ機能の制限に特化されたものであり、通話などの他の機能を制限することができないという問題があった。また、撮影機能が禁止設定の状態なのか禁止設定でない状態なのか視覚的に明示されないという問題があった。仮に撮影機能が禁止設定の状態でカメラを起動させたときに、カメラが起動しない場合、ユーザーは携帯電話機が正常に動作していないと誤解する可能性がある。さらに、撮影禁止区域内から出るとき、ユーザーが非接触ＩＣカードシステム読み取り部に携帯電話機をかざし忘れると、撮影禁止区域外でも撮影禁止の状態が継続するという問題もあった。
【０００７】
本発明は、上記のような問題を解消するためになされたものであり、携帯電話機の機能の使用が規制された場所で携帯電話機の機能を確実に使用できないようにし、機能の使用が規制されない場所で携帯電話機の機能を確実に使用できる携帯電話機を提供することを目的とする。
【課題を解決するための手段】
【０００８】
本発明に係る携帯電話は、操作キーと、制限信号を受信する非接触ＩＣカードと、制限信号に基づいて操作キーの使用を制限する制限手段と、制限手段により制限される動作の制限状態を表示する表示部とを備えるものである。
【発明の効果】
【０００９】
本発明によれば、非接触ＩＣカードシステムから取得される機能動作禁止/許可の制御信号に基づいて操作キーの使用を制限することにより、携帯電話機の各機能の使用が規制された場所においては、機能動作禁止に制限された操作キーが押下されても、その操作キーの機能を無効にすることができる。
【００１０】
また、表示部に機能動作禁止/許可の制御状態を表示することにより、仮にある操作キーが機能動作禁止の設定状態で、ユーザーがその操作キーを押下したときにその操作キーに割り当てられた機能が動作しなくても、ユーザーは携帯電話機が正常に動作していることを認識することができる。
【発明を実施するための最良の形態】
【００１１】
以下、本発明に係る携帯電話の各種実施の形態について、図面に基づいて説明する。
実施の形態１．
図１は、本実施の形態１における携帯電話機１０１の外観を示す図であり、図１（ａ）は携帯電話機のフロント側、図１（ｂ）は携帯電話機のリア側である。本実施の形態１の携帯電話機１０１は、表示部としてのＬＣＤ表示部（液晶表示装置）１、操作キーとしての操作部５０、非接触ＩＣカード用アンテナ２とを備える。
【００１２】
図２は、本実施の形態１に係る携帯電話機１０１の構成を示すブロック図である。図２に示すように、通信用アンテナ３、送受信部４、制限手段としての中央処理装置（Ｃｅｎｔｒａｌ  Ｐｒｏｃｅｓｓｉｎｇ  Ｕｎｉｔ：ＣＰＵ、以下ＣＰＵという）５、非接触ＩＣカード６、操作部５０、制限情報記憶手段としての記憶部７、ＬＣＤ表示部１、非接触用アンテナ２、音声部８、スピーカ９、マイク１０とを有する。各部の機能は以下のとおりである。
【００１３】
通信用アンテナ３及び送受信部４は、携帯電話機１０１と図示しない基地局との間の音声通信、電子メール等のデータ通信や、記憶部７に記憶したデータの送受信及びその通信制御等を行う機能を有する。
【００１４】
ＣＰＵ５は、送受信部４、操作部５０、記憶部７等の各部間の信号の送受信を制御、たとえば送受信部４との間の音声信号及び映像信号の処理等の転送制御を行う機能を有する。
【００１５】
非接触ＩＣカード６及び非接触ＩＣカード用アンテナ２は、非接触ＩＣカードシステムとしての非接触ＩＣカードシステム装置２０１から機能動作禁止/許可等の制限信号や、制限管理情報等を送受信する。
【００１６】
操作部５０は、操作キー等のキー入力部等を備え、たとえば電話番号入力、発呼、着呼、オンフック／オフフック等、携帯電話機１０１の各種メニューの選択、設定、表示の操作等の各種の操作機能を有する。
【００１７】
記憶部７は、本携帯電話機１０１の各種の機能を実現する所要の処理プログラムを格納すると共に、非接触ＩＣカードシステム装置２０１から取得した制限管理情報等を格納する機能を有する。制限管理情報には、たとえば、非接触ＩＣカードシステム装置２０１、又は機能動作禁止領域の管理者等への無線通信のための電話番号や、メールアドレス等を含む。
【００１８】
ＬＣＤ表示部１は、送受信部４により取得した電子メール等のデータ通信情報や、記憶部７に記憶されている画像データ等を表示したり、非接触ＩＣカードシステム装置２０１からの制限信号により制限される携帯電話機１０１の機能の制限状態を表示する。
【００１９】
音声部８は、マイク１０からのアナログの音声信号をデジタルに変換すると共に、デジタルの音声信号をアナログに変換してスピーカ９に送出する。マイク１０は、ユーザーの音声を受けて送話を行う。スピーカ９は、送信相手の音声を発生してユーザーに伝達する。
【００２０】
非接触ＩＣカードシステム装置２０１は、企業や映画館、博物館、駅の改札口等の出入り口に設置されるもので、携帯電話機１０１をかざすことにより、機能動作禁止/許可の制御信号を送信する。
【００２１】
図３は、操作部５０の一つの操作キー１２についての制御回路例を示す。本発明の携帯電話機１０１は、非接触ＩＣカードシステム装置２０１から受信した機能動作禁止/許可の制御信号に基づいて、ＣＰＵ５がスイッチ１１を制御する仕組みとなっている。
【００２２】
非接触ＩＣカードシステム装置２０１から機能動作禁止の制御信号を受信した場合には、図３（ａ）に示すように、ＣＰＵ５がスイッチ１１をオフするよう制御する。その結果、ユーザーが操作キー１２を押下しても操作キー検出部１３により検出されず、ＣＰＵ５は、操作キー１２に割り当てられた機能に応じた動作をしない。
【００２３】
逆に非接触ＩＣカードシステム装置２０１から機能動作許可の制御信号を受信した場合には、図３（ｂ）に示すように、ＣＰＵ５がスイッチ１１をオンするよう制御する。その結果、ユーザーが操作キー１２を押下すると、操作キー１２に割り当てられた機能が動作する。
【００２４】
次に、図４のフローチャートに従い、本実施の形態１における携帯電話機１０１が機能動作禁止領域に入る場合の動作について説明する。まず、ユーザーは、携帯電話機１０１の非接触ＩＣカード用アンテナ２を、非接触ＩＣカードシステム装置２０１にかざす。
【００２５】
携帯電話機１０１のＣＰＵ５は、非接触ＩＣカード６から非接触ＩＣカード用アンテナ２を介して、非接触ＩＣカードシステム装置２０１へ携帯電話機１０１に設定されている機能の設定情報を送信する（ステップＳ４０１）。このとき、非接触ＩＣカードシステム装置２０１により、携帯電話機１０１に設定されている各機能が動作禁止であるか否かがそれぞれ判定される（ステップＳ４０２）。ここで、携帯電話機１０１に設定されている機能とは、たとえば、音声送受信機能、メール送受信機能や、インターネット通信機能等、一般に携帯電話に備えられている機能をいう。
【００２６】
ステップＳ４０２で携帯電話機１０１に設定されている機能が一つでも動作禁止であると判定された場合には、非接触ＩＣカードシステム装置２０１から動作禁止であるとされた機能の制御信号(機能動作禁止暗号キー)と制限管理情報が送信され、ＣＰＵ５は、受信した機能動作禁止暗号キーと制限管理情報を記憶部７に保存する（ステップＳ４０３）。
【００２７】
続いて、ＣＰＵ５は、機能動作禁止暗号キーを解読し、動作禁止であるとされた機能に対し携帯電話機１０１を機能動作禁止状態に設定するために、動作禁止であるとされた機能に対応したスイッチ１１をオフ状態とする（ステップＳ４０４）と共に、予め記憶部７に保存されている「○○機能は禁止に設定されています」旨のメッセージデータをＬＣＤ表示部１に表示する（ステップＳ４０５）。
【００２８】
これにより、操作キー１２が機能動作禁止の設定状態で、ユーザーが操作キー１２を押下したときにその操作キー１２に割り当てられた機能が動作しなくても、ユーザーは携帯電話機１０１が正常に動作していることを認識することができる。
【００２９】
次に、図５のフローチャートに従い、本実施の形態１における携帯電話機１０１が機能動作禁止領域から出る場合の動作について説明する。まず、ユーザーは、携帯電話機１０１の非接触ＩＣカード用アンテナ２を、非接触ＩＣカードシステム装置２０１にかざす。
【００３０】
携帯電話機１０１のＣＰＵ５は、非接触ＩＣカード６から非接触ＩＣカード用アンテナ２を介して、非接触ＩＣカードシステム装置２０１へ携帯電話機１０１における各機能の機能動作禁止/許可の設定情報を送信する（ステップＳ５０１）。
【００３１】
続いて、設定情報を受信した非接触ＩＣカードシステム装置２０１から許可信号としての機能動作許可暗号キーが送信されると、ＣＰＵ５は、機能動作許可暗号キーを記憶部７に保存する（ステップＳ５０２）。
【００３２】
次いで、ＣＰＵ５は、機能動作許可暗号キーを解読し、動作禁止であるとされている機能に対し携帯電話機１０１を機能動作許可状態に設定するために、動作禁止であるとされている機能に対応したスイッチ１１をオン状態にする。これにより、携帯電話機１０１は、機能動作禁止状態が解除となる（ステップＳ５０３）。
【００３３】
次に、図６のフローチャートに従い、本実施の形態１における携帯電話機１０１が機能動作禁止領域に入った後、機能動作禁止に設定された状態のまま非接触ＩＣカードシステム装置２０１にかざさずに機能動作禁止領域から出た場合について説明する。
【００３４】
まず、ユーザーは、携帯電話機１０１の操作部５０から機能動作禁止状態設定解除の指示を入力すると、ＣＰＵ５は、記憶部７に記憶している制限管理情報に含まれる電話番号やメールアドレス、インターネットのＵＲＬ（Ｕｎｉｆｏｒｍ  Ｒｅｓｏｕｒｃｅ  Ｌｏｃａｔｏｒ）等の無線通信情報に基づいて、非接触ＩＣカードシステム装置２０１、又は機能動作禁止領域の管理者等へ無線通信を行い（ステップＳ６０１）、送受信部４から通信用アンテナ３を介して、携帯電話機１０１における各機能の機能動作禁止/許可の設定情報を送信する（ステップＳ６０２）。
【００３５】
続いて、設定情報を受信した非接触ＩＣカードシステム装置２０１、又は機能動作禁止領域の管理者等から、携帯電話機１０１に機能動作許可暗号キーが無線通信により送信され、ＣＰＵ５は、機能動作許可暗号キーを受信し、記憶部７に保存する（ステップＳ６０３）。
【００３６】
次いで、ＣＰＵ５は、機能動作許可暗号キーを解読し、動作禁止であるとされている機能に対し携帯電話機１０１を機能動作許可状態に設定するために、動作禁止であるとされている機能に対応したスイッチ１１をオン状態にする。これにより、携帯電話機１０１は、機能動作禁止状態が解除となる（ステップＳ６０４）。
【００３７】
以上のように、本実施の形態１では、非接触ＩＣカードシステム装置２０１から取得される機能動作禁止/許可の制御信号に基づいて、ＣＰＵ５により、対応する操作キー１２の使用を制限するようにしたので、携帯電話機の各機能の使用が規制された場所においては、機能動作禁止に制限された操作キーが押下されても、その操作キーの機能を無効にすることができる。
【００３８】
また、表示部１に機能動作禁止/許可の制御状態を表示するようにしたので、仮にある操作キーが機能動作禁止の設定状態で、ユーザーがその操作キーを押下したときにその操作キーに割り当てられた機能が動作しなくても、ユーザーは携帯電話機が正常に動作していることを認識することができる。
【００３９】
なお、本実施の形態１では、携帯電話機１０１が非接触ＩＣカードシステム装置２０１からの制御信号により動作禁止とされた場合に、動作禁止であるとされた機能について「○○機能は禁止に設定されています」旨のメッセージデータをＬＣＤ表示部１に表示するようにしたが、これに限るものではない。たとえば、動作禁止とされた際に、スピーカ９から「○○機能は禁止に設定されました」等の警告メッセージ等を鳴らようにしてもよい。この警告は、携帯電話機のユーザーに知らせる警告のため、音量は大きくなくても問題ない。
【００４０】
図７は、警告メッセージ等を鳴らす場合の携帯電話機１０１の動作を示すフローチャートである。本実施の形態における構成に関しては、図１と同様であり、その説明を省略する。また、動作についても、図４のフローチャートと比して、非接触ＩＣカードシステム装置２０１からの制御信号により動作禁止とされた際に、ＣＰＵ５が、予め記憶部７に保存されている「○○機能は禁止に設定されました」等の警告メッセージ等をスピーカ９から鳴らす（ステップＳ７０５）以外は同様であり、その説明を省略する。
【００４１】
この場合も、携帯電話機の機能の使用が制限された場所でユーザーが操作キーを押下したときにその操作キーに割り当てられた機能が動作しなくても、ユーザーは携帯電話機が正常に動作していることを認識することができる。
【００４２】
実施の形態２．
実施の形態１の携帯電話機１０１においては、機能動作禁止領域において操作キー１２の使用を制限する場合について示したが、実施の形態２では、カメラ撮影機能を備えた携帯電話機の使用を制限する場合について示す。
【００４３】
図８は、本実施の形態２における携帯電話機１０２の外観を示す図であり、図８（ａ）は携帯電話機のフロント側、図８（ｂ）は携帯電話機のリア側である。本実施の形態２の携帯電話機１０２は、カメラ部５１、カメラカバー１４とを備える以外は実施の形態１と同様である。
【００４４】
図９は、本実施の形態２に係る携帯電話機１０２の構成を示すブロック図である。図９に示すように、実施の形態２は、実施の形態１における携帯電話機１０１にカメラモジュール１５、カメラカバーロック制御部１６、カメラカバー開閉検知センサ１７を備えたものである。その他の構成に関しては、実施の形態１と同様であり、相当部分には図１と同一符号を付して説明を省略する。
【００４５】
カメラモジュール１５は、風景または人物といった被写体の撮影機能、シャッター操作時に取り込んだ映像を撮影データに変換し取り込む機能を有する。ＣＰＵ５は、操作部５０からの指示により、カメラモジュール５１の設定、シャッター制御等を行い、映像信号の転送等を制御する。また、ＣＰＵ５は、記憶部７にカメラモジュール１５で撮影した映像データ等を格納し、ＬＣＤ表示部１により記憶部７に記憶されているカメラモジュール１５で撮影した映像データ等を表示する。
【００４６】
カメラカバーロック制御部１６は、ＣＰＵ５からの機能動作禁止/許可の制御信号に基づいてカメラカバー１４のロック/ロック解除の制御を行う。カメラカバー開閉検知センサ１７は、たとえばホールＩＣで構成され、カメラカバー１４が開いた状態か閉じた状態か検知する。
【００４７】
次に、図１０のフローチャートに従い、本実施の形態２における携帯電話機１０２が機能動作禁止領域に入る場合の動作について説明する。まず、ユーザーは、携帯電話機１０２の非接触ＩＣカード用アンテナ２を、非接触ＩＣカードシステム装置２０１にかざす。
【００４８】
携帯電話機１０２のＣＰＵ５は、非接触ＩＣカード６から非接触ＩＣカード用アンテナ２を介して、非接触ＩＣカードシステム装置２０１へ携帯電話機１０２に設定されている機能の設定情報を送信する（ステップＳ１００１）。このとき、非接触ＩＣカードシステム装置２０１により、携帯電話機１０２に設定されている各機能が動作禁止であるか否かがそれぞれ判定される（ステップＳ１００２）。ここで、携帯電話機１０２に設定されている機能とは、たとえば、音声送受信機能、メール送受信機能や、インターネット通信機能等、一般に携帯電話に備えられている機能と共に、カメラ撮影機能をいう。
【００４９】
ステップＳ１００２で携帯電話機１０２に設定されている機能のうち少なくともカメラ撮影機能が動作禁止であると判定された場合には、非接触ＩＣカードシステム装置２０１から制御信号として撮影機能動作禁止を含む機能動作禁止暗号キーと制限管理情報が送信され、ＣＰＵ５は、受信した機能動作禁止暗号キーと制限管理情報を記憶部７に保存する（ステップＳ１００３）。
【００５０】
続いて、ＣＰＵ５は、機能動作禁止暗号キーを解読し、動作禁止であるとされた機能に対し携帯電話機１０２を機能動作禁止状態に設定するために、撮影動作を含む動作禁止であるとされた機能に対応したスイッチ１１をオフ状態とする（ステップＳ１００４）。
【００５１】
次いで、ＣＰＵ５は、カメラカバー開閉検知センサ１７によりカメラカバー１４が閉じられているか否かを判断する（ステップＳ１００５）。
【００５２】
ステップＳ１００５で「Ｎｏ」の場合には、ＣＰＵ５は、予め記憶部７に保存されている「カメラカバーが開いている」旨のメッセージデータをＬＣＤ表示部１に表示するか（ステップＳ１００６）、スピーカ９から警告メッセージあるいは警告音を鳴らす。
【００５３】
カメラカバー１４が閉じられている、もしくはＬＣＤ表示部１に表示されたメッセージやスピーカ９からの警告メッセージ、警告音によりカメラカバー１４が閉じられ、ステップＳ１００５で「Ｙｅｓ」の場合には、ＣＰＵ５は、カメラカバーロック制御部１６によりカメラカバー１４をロックする（ステップＳ１００７）。
【００５４】
ステップＳ１００７でカメラカバー１４をロックされると、ＣＰＵ５は、予め記憶部７に保存されている「○○機能は禁止に設定されています」や、「カメラ撮影機能は禁止に設定されています。カメラカバーはロックされています。」旨のメッセージデータをＬＣＤ表示部１に表示する（ステップＳ１００８）。
【００５５】
これにより、操作キー１２が機能動作禁止の設定状態で、ユーザーがカメラ起動用スイッチ等の操作キー１２を押下したときにその操作キー１２に割り当てられた機能が動作しなくても、ユーザーは携帯電話機１０２が正常に動作していることを認識することができる。また、カメラ撮影機能動作禁止の設定状態で、カメラカバー１４が開かなくても、ユーザーは携帯電話機１０２が正常に動作していることを認識することができる。
【００５６】
図１１は、本実施の形態２における携帯電話機１０２が機能動作及びカメラ撮影動作の禁止領域から出る場合の動作について示すフローチャートである。また、図１２は、本実施の形態２における携帯電話機１０２が機能動作及びカメラ撮影動作の禁止領域に入った後、機能動作及びカメラ撮影動作が禁止に設定された状態のまま非接触ＩＣカードシステム装置２０１にかざさずに機能動作及びカメラ撮影動作の禁止領域から出た場合の動作について示すフローチャートである。
【００５７】
携帯電話機１０１において、機能動作と共にカメラ撮影動作の禁止状態及びカメラカバー１４が解除となる以外は実施の形態１の図５及び図１６の動作と同様であり、その説明を省略する。
【００５８】
以上のように、本実施の形態２では、非接触ＩＣカードシステム装置２０１から取得される機能動作禁止/許可の制御信号に基づいて、ＣＰＵ５によりカメラ撮影機能の操作を制限すると共に、カメラカバー１４をロックするようにしたので、カメラ撮影機能の使用も規制された場所においては、カメラ機能動作禁止に制限された操作キーが押下された場合に、カメラ撮影機能を無効にするだけでなく、カメラカバーをロックすることでカメラ撮影ができないことを周囲に認識させることができる。
【図面の簡単な説明】
【００５９】
【図１】本発明に係る携帯電話の実施の形態１の構成を示す外観図である。
【図２】本発明に係る携帯電話の実施の形態１の構成を示すブロック図である。
【図３】本発明に係る携帯電話の実施の形態１の操作キーについての制御回路例を示す図である。
【図４】本発明に係る携帯電話の実施の形態１の動作手順を示すフローチャート図である。
【図５】本発明に係る携帯電話の実施の形態１の動作手順を示すフローチャート図である。
【図６】本発明に係る携帯電話の実施の形態１の動作手順を示すフローチャート図である。
【図７】本発明に係る携帯電話の実施の形態１の別の動作手順を示すフローチャート図である。
【図８】本発明に係る携帯電話の実施の形態２の構成を示す外観図である。
【図９】本発明に係る携帯電話の実施の形態２の構成を示すブロック図である。
【図１０】本発明に係る携帯電話の実施の形態２の動作手順を示すフローチャート図である。
【図１１】本発明に係る携帯電話の実施の形態２の動作手順を示すフローチャート図である。
【図１２】本発明に係る携帯電話の実施の形態２の動作手順を示すフローチャート図である。
【符号の説明】
【００６０】
１  ＬＣＤ表示部
５  中央処理装置（ＣＰＵ）
６  非接触ＩＣカード
７  記憶部
１２  操作キー
１４  カメラカバー
５０  操作部
５１  カメラ部
１０１、１０２  携帯電話機
【図１】
2008199272.tif 000003
【図２】
2008199272.tif 000004
【図３】
2008199272.tif 000005
【図４】
2008199272.tif 000006
【図５】
2008199272.tif 000007
【図６】
2008199272.tif 000008
【図７】
2008199272.tif 000009
【図８】
2008199272.tif 000010
【図９】
2008199272.tif 000011
【図１０】
2008199272.tif 000012
【図１１】
2008199272.tif 000013
【図１２】
2008199272.tif 000014